(57)【要約】【課題】  ノズルの位置を良好に後付けで延長させて、車椅子に乗った人でも良好にシャワー水を浴びることのできるシャワー装置を提供する。【解決手段】  １個所以上の噴水口１０，１０を有するシャワー装置のアーム５に、噴水口１０，１０の何れかに取り替え可能に後付けできる延長水路部材１５を備えて構成する。【選択図】        図３
2005065799.tif 000002
【特許請求の範囲】
【請求項１】
１個所以上の噴水口を有するシャワー装置において、前記噴水口に取り替え可能に後付けできる延長水路部材を備えたことを特徴とするシャワー装置。
【請求項２】
前記延長水路部材に、噴水口を少なくとも１つ以上付けられるように構成したことを特徴とする請求項１に記載のシャワー装置。
【請求項３】
前記シャワー装置は、回動自在なアームを備え、該アームに前記延長水路部材を後付けできるように構成したことを特徴とする請求項１または請求項２に記載のシャワー装置。
【発明の詳細な説明】
【技術分野】
【０００１】
この発明は、浴室内に設置されるシャワー装置に関するものである。
【背景技術】
【０００２】
従来、特許文献１に開示されているように、内部に内蔵されているノズルを引き出すことによって、ノズルを延長させることができる構成のシャワー装置が存在する。
【特許文献１】特開２００２−２７２６３０号公報
【発明の開示】
【発明が解決しようとする課題】
【０００３】
従来構造のシャワー装置では、内蔵されているノズルを使用するものであるため、ノズルの延長には限界があり、使用者の体格の差や、車椅子使用者などに対応して、ノズルの長さを調節することはできないものであった。
また、ノズルを延長させるために水圧を利用しているため、低水圧では作動せず、また、ポンプで水圧を発生させるものであるため、電源が必要であるという問題点があった。
【課題を解決するための手段】
【０００４】
本発明は上記従来の問題点に鑑み案出したものであって、後付けで、ノズルの長さを調節することができ、任意の場所に付け替えて電源なしで使用できるシャワー装置を提供せんとするものであり、請求項１は、１個所以上の噴水口を有するシャワー装置において、前記噴水口に取り替え可能に後付けできる延長水路部材を備えたことである。
また、請求項２は、前記延長水路部材に、噴水口を少なくとも１つ以上付けられるように構成したことである。
また、請求項３は、前記シャワー装置は、回動自在なアームを備え、該アームに前記延長水路部材を後付けできるように構成したことである。
【発明の効果】
【０００５】
本発明のシャワー装置は、噴水口に取り替え可能に後付けできる延長水路部材を備えたことにより、シャワー装置の噴水口の何れかに、後付けで延長水路部材を取り付け、水路を延長させて使用することができ、体格の大きい人とか、車椅子でシャワーを使用する場合等において、良好にシャワーを浴びることができるものとなる。
【０００６】
また、延長水路部材に、噴水口を少なくとも１つ以上付けられるように構成したことにより、延長水路部材の噴水口から、肩とか背中等に良好にシャワー水を噴出させて使用できるものとなる。
【０００７】
また、回動自在なアームに延長水路部材を後付けできるように構成したことにより、回動自在なアームに更に延長水路部材を後付けして、背中等の好みの場所にシャワー水を噴出させて良好にシャワー装置を使用することができ、アームの自由度が大となり、障害者や車椅子使用者などにおいても、身体の後側に快適にシャワーを浴びることが可能となる。
【実施例】
【０００８】
以下、本発明の実施例を図面に基づいて説明する。
図１は、シャワー装置の一例を示す斜視構成図であり、このシャワー装置１は、浴室の壁面に設置されるものであり、水栓機能部２の前面には、温度調節ハンドル，開閉ハンドル，切替ハンドル等のハンドル３が設けられており、水栓機能部２の左右両端側から上方へ延びて、左回動アーム４と、右回動アーム５が設けられており、この左右の回動アーム４，５は、それぞれ上下方向に回動させることができるものである。
また、水栓機能部２の左右両端側から下方へ向かって、固定アーム６，７が設けられており、この固定アーム６，７は壁面に固定されたものである。
【０００９】
上方の回動アーム４，５及び下方の固定アーム６，７には、複数の噴水口１０，１０，１０が設けられており、それぞれの噴水口１０からシャワー水を噴出させることができるものである。
なお、回動アーム４，５間には鏡８が設置され、また、固定アーム６，７間には洗面台９が設けられている。
【００１０】
このようなシャワー装置１には、例えば図２に示すような延長水路部材１５が、取り替え可能に後付けできるように備えられている。
図２の延長水路部材１５は、延長部１５ａの一端側に、Ｌ字状に曲げてＬ部１５ｂが形成され、Ｌ部１５ｂの先端には、接続管部１６が形成されたものである。また、延長部１５ａには、本例では２個の噴水口１０，１０が設けられている。
【００１１】
図２に示した延長水路部材１５は、例えば図３の概略図で示すように、前記シャワー装置１の例えば右回動アーム５の先端側の噴水口１０に後付けして、右回動アーム５をこの延長水路部材１５により延長させることができるものである。
なお、図４には、例えば右回動アーム５に設けられた噴水口１０の断面拡大構成図を示しており、また、図５では、噴水口１０の構成部材の分解斜視図を示している。
【００１２】
右回動アーム５に一体形成されたボス部１１の外周には、雄ネジ１１ａが形成されており、また、ボス部１１の内側には、球状の球状内周面１１ｂが形成されている。この球状内周面１１ｂには、ノズル１２の球部１２ａが回動可能に嵌まり込むものであり、ノズル１２に対し、外側よりＯリング１３を介在させてキャップ１４が嵌め込まれ、キャップ１４の内側に形成された雌ネジ１４ａをボス部１１の雄ネジ１１ａに締め付けて、ノズル１２が首振り可能に取り付けられている。このノズル１２を取り外すことにより、前記延長水路部材１５を取り替えて後付けできるものである。
【００１３】
即ち、図６の分解斜視図で示すように、噴水口１０のノズル１２を取り外し、代わりに、球リング部材１７を介在させて延長水路部材１５の接続管部１６を、ボス部１１に取り付けるのである。
図６に示すように、延長水路部材１５の接続管部１６の外周には、雄ネジ１６ａを形成させておき、球リング部材１７の内周には、雌ネジ１７ａを形成させておく。
なお、球リング部材１７の外周は、ボス部１１の球状内周面１１ｂ内に回動可能に嵌まり込む形状に形成されている。
【００１４】
図６のような状態に配置させて、延長水路部材１５の接続管部１６を、キャップ１４及びＯリング１３内を通して、接続管部１６の雄ネジ１６ａを球リング部材１７の雌ネジ１７ａに螺合させて、接続管部１６に球リング部材１７を連結させる。この状態で、球リング部材１７をボス部１１の球状内周面１１ｂ内に嵌め込んで、さらにその状態で、キャップ１４をボス部１１に締め付けることにより、良好に右回動アーム５に延長水路部材１５を後付けできるものである。
【００１５】
なお、この延長水路部材１５は、右回動アーム５に限らず、左回動アーム４の何れかの噴水口にも取り替え可能に後付けできるものである。
なお、延長水路部材１５は、背中側まで回るような湾曲形状のもの、半円弧状のもの、Ｌ字状，棒状等、形状の異なるものを複数用意しておけば、何れかの形状のものを選択して噴水口１０に後付けできるものである。
【００１６】
例えば、図７では、左回動アーム４及び右回動アーム５のそれぞれの先端端側の噴水口１０に、ノズル１２と取り替えて、棒状の延長水路部材１５を後付けし、この延長水路部材１５に設けられている噴水口１０から、車椅子に乗った人の肩に向けてシャワー水を噴出させて使用している使用状態である。
【００１７】
また、図８では、湾曲状の形状をなす延長水路部材１５を後付けして、車椅子に乗った状態で背中にシャワー水を噴出させて使用している状態である。
また、図９では、半円弧状の形状をなす延長水路部材１５を後付けして、車椅子に乗った人の後頭部にシャワー水を噴出させている状態である。
【００１８】
また、図１０では、右回動アーム５の水栓機能部２に近い位置の噴水口１０に、棒状の延長水路部材１５を後付けして、車椅子に乗った人の足に向かってシャワー水を噴出させている状態である。
また、図１１のような形状の延長水路部材１５を取り付けた場合には、車椅子に乗った人の腕の外側に良好にシャワー水を噴出させて使用できるものである。
【図面の簡単な説明】
【００１９】
【図１】回動アームを備えたシャワー装置の斜視構成図である。
【図２】延長水路部材の一例を示す斜視構成図である。
【図３】回動アームに延長水路部材を後付けした状態の概略斜視構成図である。
【図４】噴水口を構成するノズルの取付状態の断面拡大構成図である。
【図５】噴水口の構成部材の分解斜視図である。
【図６】ノズルに代えて、噴水口に延長水路部材を取り替えて後付けする場合の構成部材の分解斜視構成図である。
【図７】延長水路部材を後付けして、車椅子に乗った人の肩にシャワー水を噴出させている使用状態図である。
【図８】さらに異なる形状の延長水路部材を後付けして、背中にシャワー水を噴出させている使用状態図である。
【図９】さらに異なる形状の延長水路部材を後付けして、後頭部にシャワー水を噴出させている使用状態図である。
【図１０】さらに異なる形状の延長水路部材を後付けして、足周辺にシャワー水を噴出させている使用状態図である。
【図１１】さらに異なる形状の延長水路部材を後付けして、両腕にシャワー水を噴出させている使用状態図である。
【符号の説明】
【００２０】
１  シャワー装置
２  水栓機能部
３  ハンドル
４  左回動アーム
５  右回動アーム
６，７  固定アーム
１０  噴水口
１１  ボス部
１１ａ  雄ネジ
１１ｂ  球状内周面
１２  ノズル
１２ａ  球部
１３  Ｏリング
１４  キャップ
１４ａ  雌ネジ
１５  延長水路部材
１５ａ  延長部
１５ｂ  Ｌ部
１６  接続管部
１６ａ  雄ネジ
１７  球リング部材
１７ａ  雌ネジ
【図１】
2005065799.tif 000003
【図２】
2005065799.tif 000004
【図３】
2005065799.tif 000005
【図４】
2005065799.tif 000006
【図５】
2005065799.tif 000007
【図６】
2005065799.tif 000008
【図７】
2005065799.tif 000009
【図８】
2005065799.tif 000010
【図９】
2005065799.tif 000011
【図１０】
2005065799.tif 000012
【図１１】
2005065799.tif 000013